(57)【要約】【課題】外光を遮断することができ、且つ画像のコントラストに優れ、そして極めて簡易に製造することができるディスプレイ用光学フィルタの製造方法を提供すること。【解決手段】透明基部と、その上に設けられた断面視で３角形の多数の山形凸部が当該３角形の底辺を連結して配列された透明の山形部とが、山形凸部の底辺に対応する面が透明基部の表面と一致するように構成された山形基板であって、山形凸部の３角形の底辺を除く他の２辺の内、短い方の辺に相当する山形凸部の側壁の表面に光吸収層が形成された光吸収層付き山形基板を用意する工程、及び山形部の山形凸部間の少なくとも間隙に透明樹脂を充填し、山形部上に平面を形成する工程を含むディスプレイ用光学フィルタの製造方法及びこれにより得られるディスプレイ用光学フィルタ。【選択図】図１
2009063962.tif 000002
【特許請求の範囲】
【請求項１】
透明基部と、その上に設けられた断面視で３角形の透明の山形凸部が当該３角形の底辺を連結して配列された山形部とが、山形凸部の底辺に対応する面が透明基部の表面と一致するように構成された山形基板であって、山形凸部の３角形の底辺を除く他の２辺の内、短い方の辺に相当する山形凸部の側壁の表面に光吸収層が形成された光吸収層付き山形基板を用意する工程、及び
山形部の山形凸部間の少なくとも間隙に透明樹脂を充填し、山形部上に平面を形成する工程
を含むディスプレイ用光学フィルタの製造方法。
【請求項２】
光吸収層付き山形基板が、
透明基部と、その上に設けられた断面視で３角形の山形凸部が、当該３角形の底辺を連結して配列された透明の山形部とが、山形凸部の底辺に対応する面が透明基部の表面と一致するように構成された山形基板を用意する工程、及び
山形凸部の３角形の底辺を除く他の２辺の内、短い方の辺に相当するに相当する山形凸部の側壁の表面に光吸収層を形成する工程
により作製される請求項１に記載のディスプレイ用光学フィルタの製造方法。
【請求項３】
山形凸部の３角形における底辺と短辺とのなす角度が７０〜１００度である請求項１又は２に記載のディスプレイ用光学フィルタの製造方法。
【請求項４】
光吸収層の形成を、
光吸収剤含有ネガ型フォトレジストを山形基板の山形部の表面に塗布し、山形凸部の３角形の底辺を除いた長辺に相当する山形凸部の側壁の表面に光照射し、該照射した側壁表面の光吸収剤含有ネガ型フォトレジストをアルカリ現像除去することにより行う請求項２又は３に記載のディスプレイ用光学フィルタの製造方法。
【請求項５】
光吸収層の形成を、
光吸収剤含有ポジ型フォトレジストを山形基板の山形部の表面に塗布し、山形凸部の３角形の底辺を除いた長辺に相当する山形凸部の側壁の表面に光照射し、該照射した側壁表面の光吸収剤含有ポジ型フォトレジストをアルカリ現像除去することにより行う請求項２又は３に記載のディスプレイ用光学フィルタの製造方法。
【請求項６】
山形凸部の３角形の短辺の長さが、２０〜４００μｍの範囲である請求項１〜５のいずれか１項に記載のディスプレイ用光学フィルタの製造方法。
【請求項７】
山形凸部の３角形の長辺の長さが、３０〜５００μｍの範囲である請求項１〜６のいずれか１項に記載のディスプレイ用光学フィルタの製造方法。
【請求項８】
山形基板の基部の厚さが、１０〜２０００μｍの範囲である請求項１〜７のいずれか１項に記載のディスプレイ用光学フィルタの製造方法。
【請求項９】
光吸収層の厚さが、１〜１０μｍの範囲である請求項１〜８のいずれか１項に記載のディスプレイ用光学フィルタの製造方法。
【請求項１０】
山形部が、紫外線硬化性樹脂から形成されている請求項１〜９のいずれか１項に記載のディスプレイ用光学フィルタの製造方法。
【請求項１１】
山形部の山形凸部間の少なくとも間隙に透明樹脂を充填後、硬化させる請求項１〜１０のいずれか１項に記載のディスプレイ用光学フィルタの製造方法。
【請求項１２】
山形部の山形凸部間の少なくとも間隙に充填される透明樹脂が、紫外線硬化性樹脂からなる請求項１〜１１のいずれか１項に記載のディスプレイ用光学フィルタの製造方法。
【請求項１３】
透明基部が、プラスチックフィルムからなる請求項１〜１２のいずれか１項に記載のディスプレイ用光学フィルタの製造方法。
【請求項１４】
山形部の平面上に導電層を形成する請求項１〜１３のいずれか１項に記載のディスプレイ用光学フィルタの製造方法。
【請求項１５】
導電層がメッシュ状導電層である請求項１４に記載のディスプレイ用光学フィルタの製造方法。
【請求項１６】
導電層上に、ハードコート層を形成する請求項１〜１５のいずれか１項に記載の光学フィルタ。
【請求項１７】
山形基板の山形部の無い側の表面に、メッシュ状導電層を有する導電性フィルムを、基板表面と導電層とを対向させて、接着剤層により接着する請求項１〜１３のいずれか１項に記載のディスプレイ用光学フィルタの製造方法。
【請求項１８】
透明基部と、その上に設けられた断面視で３角形の山形凸部が当該３角形の底辺を連結して配列された透明の山形部とが、山形凸部の底辺に対応する面が透明基部の表面と一致するように構成された山形基板であって、山形凸部の３角形の底辺を除く他の２辺の内、短い方の辺に相当する山形凸部の側壁の表面に光吸収層が形成された光吸収層付き山形基板、及び
山形部の山形凸部間の少なくとも間隙に透明樹脂を充填、硬化して形成された山形部上の平面
を含むことを特徴とするディスプレイ用光学フィルタ。
【請求項１９】
透明基部と、その上に設けられた透明樹脂層からなり、そして当該透明樹脂層の中に透明樹脂層に対して略垂直に且つ相互に間隔をおいて平行に配列された光吸収層が設けられたディスプレイ用光学フィルタであって、
光吸収層を挟んで隣接する透明樹脂の屈折率が異なっており、その差が０．０１〜０．５０であることを特徴とするディスプレイ用光学フィルタ。
【請求項２０】
略垂直が透明樹脂層に対して７０〜９０度の範囲である請求項１９に記載のディスプレイ用光学フィルタ。
【請求項２１】
光吸収層の厚さが、１〜１０μｍの範囲である請求項１８〜２０のいずれか１項に記載のディスプレイ用光学フィルタ。
【請求項２２】
透明基部が、プラスチックフィルムからなる請求項１８〜２１のいずれか１項に記載のディスプレイ用光学フィルタ。
【請求項２３】
透明樹脂又は透明樹脂層が、紫外線硬化性樹脂から形成されている請求項１８〜２２のいずれか１項に記載のディスプレイ用光学フィルタ。
【請求項２４】
プラズマディスプレイパネル用フィルタである請求項１８〜２３のいずれか１項に記載のディスプレイ用光学フィルタ。
【請求項２５】
請求項１８〜２３のいずれか１項に記載のディスプレイ用光学フィルタがガラス基板に貼付されたディスプレイ用光学フィルタ。
【請求項２６】
請求項１８〜２３のいずれか１項に記載のディスプレイ用光学フィルタを備えたことを特徴とするディスプレイ。
【請求項２７】
請求項１８〜２３のいずれか１項に記載のディスプレイ用光学フィルタを備えたことを特徴とするプラズマディスプレイパネル。
【発明の詳細な説明】
【技術分野】
【０００１】
本発明は、プラズマディスプレイパネル（ＰＤＰ）、ブラウン管（ＣＲＴ）ディスプレイ、液晶ディスプレイ、有機ＥＬ（電界発光）ディスプレイ、表面電界型ディスプレイ（ＳＥＤ）を含む電界放出型ディスプレイ（ＦＥＤ）等の各種ディスプレイに好適に使用することができる防眩性等の機能を有する光学フィルタ、及びこの光学フィルタを備えたディスプレイ、特にＰＤＰに関する。
【背景技術】
【０００２】
液晶ディスプレイ、プラズマディスプレイ（ＰＤＰ）、ＥＬディスプレイ等のフラットパネルディスプレイ、及びＣＲＴディスプレイにおいては、外部からの光が表面で反射し、内部の視覚情報が見えにくいとの問題は、従来から知られており、防眩層、反射防止膜等を含む光学フィルムの設置等、種々対策がなされている。
【０００３】
近年、ディスプレイは大画面表示が主流となり、次世代の大画面表示デバイスとして液晶ディスプレイ、ＰＤＰ等が一般的になってきている。このような大型ディスプレイを室内で使用した場合、蛍光灯等の照明の光がディスプレイ表面で反射散乱ことによって眩しいだけでなく、その光が写り込んだりするために文字等の認識が難しくなる問題があることから、外部環境の眩しさ、映り込みを防ぐために高い防眩性を有することが求められている。
【０００４】
この様な防眩性を有する光学フィルタとしては、例えば透明基材フィルムの表面に、二酸化ケイ素（シリカ）等のフィラーを含む樹脂を塗工して得られるフィルタが提案されている（特許文献１（特開平６−１８７０６号公報）、特許文献２（特開平１０−２０１０３号公報）。いずれのタイプでも、防眩層表面の凹凸形状の作用により、光拡散・防眩作用を得られるようにしている。
【０００５】
一方、写り込み防止の観点から、特許文献３（特開２００６−１８９８６７号公報）には、フィルターベースと、フィルターベースの一面に形成され、透明樹脂材質の基盤と基盤の一面に平行に配列された多数の楔形ブラックストライプを備える外光遮蔽層とを含む光学フィルタが提案されている。この光学フィルタは、従来から使用されているのぞき見防止フィルムの原理を利用したもので、多数の楔形ブラックストライプがルーバー層として働き、のぞき見、或いは写り込みを防止することができる。そして、その製造方法は、以下のように行われる：即ち、支持体の一面に紫外線硬化性樹脂から構成された基盤（層）を塗布した後、楔形ブラックストライプと反対形状が表面に形成されているブラックストライプ成型用ロールの間にこの支持体を通過させ、これにより支持体の一面に基盤にブラックストライプ成型用ロールの形状が転写され、その後この基盤に紫外線を照射して硬化させて最終的に楔形溝が形成された基盤に成型し、そして、基盤に形成された楔形溝に炭素を含む紫外線硬化性樹脂を供給した後、紫外線を照射して硬化させて楔形ブラックストライプを完成する。
【０００６】
【特許文献１】特開平６−１８７０６号公報
【特許文献２】特開平１０−２０１０３号公報
【特許文献３】特開２００６−１８９８６７号公報
【発明の開示】
【発明が解決しようとする課題】
【０００７】
特許文献３では、ルーバー層のブラックストライプ部（光吸収層）の形成を、基盤（層）に形成された楔形溝に炭素を含む紫外線硬化性樹脂を供給した後、紫外線を照射して硬化させて行っている。本発明者の検討によれば、楔形溝にのみ炭素（カーボン）を含む紫外線硬化性樹脂を供給することは極めて困難或いは高度な制御を必要とすること、また炭素を含む紫外線硬化性樹脂、即ち、光の通りにくい着色された紫外線硬化性樹脂を、溝の奥まで硬化させることは困難であることが明らかとなった。
【０００８】
従って、本発明は、ルーバー層を有するディスプレイ用光学フィルタを、極めて簡易に製造することができる、ディスプレイ用光学フィルタの製造方法を提供することを目的とする。
【０００９】
また、本発明は、外光を遮断することができ、且つ画像のコントラストに優れ、そして極めて簡易に製造することができるディスプレイ用光学フィルタの製造方法を提供することを目的とする。
【００１０】
さらに、本発明は、極めて簡易に製造することができるルーバー層を有するディスプレイ用光学フィルタを提供することを目的とする。
【００１１】
また、本発明は、外光を遮断することができ、且つ画像のコントラストに優れ、そして極めて簡易に製造することができるディスプレイ用光学フィルタを提供することを目的とする。
【００１２】
さらにまた、本発明は、外光を遮断することができ、且つ画像のコントラストに優れ、そして極めて容易に製造することができ、良好な電磁波シールド性を有するＰＤＰ用に好適な光学フィルタを提供することを目的とする。
【００１３】
また本発明は、上記優れた特性の光学フィルタが画像表示ガラス板の表面に貼り合わされたディスプレイを提供することを目的とする。
【００１４】
さらに、本発明は、上記優れた特性の光学フィルタが画像表示ガラス板の表面に貼り合わされたＰＤＰを提供することを目的とする。
【課題を解決するための手段】
【００１５】
従って、本発明は、
透明基部と、その上に設けられた断面視で３角形の山形凸部が当該３角形の底辺を連結して配列された透明の山形部とが、山形凸部の底辺に対応する面が透明基部の表面と一致するように構成された山形基板であって、山形凸部の３角形の底辺を除く他の２辺の内、短い方の辺に相当する山形凸部の側壁の表面に光吸収層が形成された光吸収層付き山形基板を用意する工程、及び
山形部の山形凸部間の少なくとも間隙に透明樹脂を充填し、山形部上に平面を形成する工程
を含むディスプレイ用光学フィルタの製造方法にある。
【００１６】
本発明のディスプレイ用光学フィルタの製造方法の好適態様は以下の通りである。
（１）光吸収層付き山形基板が、
透明基部と、その上に設けられた断面視で３角形の山形凸部が、当該３角形の底辺を連結して配列された透明の山形部とが、山形凸部の底辺に対応する面が透明基部の表面と一致するように構成された山形基板を用意する工程、及び
山形凸部の３角形の底辺を除く他の２辺の内、短い方の辺に相当するに相当する山形凸部の側壁の表面に光吸収層を形成する工程
により作製される。
（２）山形凸部の３角形における底辺と短辺とのなす角度が７０〜１００度である。特に７０〜９０度が好ましい。
（３）光吸収層の形成を、
光吸収剤含有ネガ型フォトレジストを山形基板の山形部の表面に塗布し、山形凸部の３角形の底辺を除いた長辺に相当する山形凸部の側壁の表面に光照射し、該照射した側壁表面の光吸収剤含有ネガ型フォトレジストをアルカリ現像除去することにより行う。これにより簡易に且つ正確に光吸収層を形成することができる。
（４）光吸収層の形成を、
光吸収剤含有ポジ型フォトレジストを山形基板の山形部の表面に塗布し、山形凸部の３角形の底辺を除いた長辺に相当する山形凸部の側壁の表面に光照射し、該照射した側壁表面の光吸収剤含有ポジ型フォトレジストをアルカリ現像除去することにより行う請求項２又は３に記載のディスプレイ用光学フィルタの製造方法。これにより簡易に且つ正確に光吸収層を形成することができる。
（５）山形凸部の３角形の短辺の長さが、２０〜４００μｍの範囲である。良好な視野角と、良好なコントラストとが得られ易い。
（６）山形凸部の３角形の長辺の長さが、３０〜５００μｍの範囲である。良好な視野角と、良好なコントラストとが得られ易い。
（７）山形基板の基部の厚さが、１０〜２０００μｍの範囲が好ましい。
（８）光吸収層の厚さが、１〜１０μｍの範囲である。
（９）山形基板が、紫外線硬化性樹脂から形成されている。生産性に優れている。
（１０）山形部の山形凸部間の少なくとも間隙に透明樹脂を充填後、硬化させる。
（１１）山形部の山形凸部間の少なくとも間隙に充填される透明樹脂が、紫外線硬化性樹脂からからなる。生産性に優れている。
（１２）山形部の平面上に導電層を形成する。導電層がメッシュ状導電層であることが好ましい。電磁波シールド性を付与できる。金属導電層の厚さは一般に１〜１５μｍである。
（１３）導電層上に、ハードコート層を形成する。
（１４）山形基板の山形部の無い側の表面に、メッシュ状導電層を有する導電性フィルムを、基板表面と導電層とを対向させて、接着剤層により接着する。
（１５）反射防止層は、ハードコート層及び低屈折率層（必要によりさらに高屈折率層）からなる。
（１６）山形基板の山形部の無い側の表面に、近赤外線吸収層が設けられている。
（１７）近赤外線吸収層上に、さらに透明粘着層が設けられている。ディスプレイへの装着が容易となる。
（１８）近赤外線吸収層が、ネオンカット機能を有する。
（１９）透明基部が透明プラスチックフィルムである。
（２０）プラズマディスプレイパネル用フィルタである。
（２１）ディスプレイ用光学フィルタがガラス基板に貼付されたディスプレイ用光学フィルタである。
【００１７】
また本発明は、
透明基部と、その上に設けられた断面視で３角形の山形凸部が、当該３角形の底辺を連結して配列された透明の山形部とが、山形凸部の底辺に対応する面が透明基部の表面と一致するように構成された山形基板であって、山形凸部の３角形の底辺を除く他の２辺の内、短い方の辺に相当する山形凸部の側壁の表面に光吸収層が形成された光吸収層付き山形基板、及び
山形部の山形凸部間の少なくとも間隙に透明樹脂を充填、硬化して形成された山形部上の平面
を含むことを特徴とするディスプレイ用光学フィルタ；及び
透明基部と、その上に設けられた透明樹脂層からなり、そして当該透明樹脂層の中に透明樹脂層に対して略垂直に且つ相互に間隔をおいて平行に配列された光吸収層が設けられたディスプレイ用光学フィルタであって、
光吸収層を挟んで隣接する透明樹脂層の屈折率が異なっており、その差が０．０１〜０．５０であることを特徴とするディスプレイ用光学フィルタ；
にもある。
【００１８】
本発明のディスプレイ用光学フィルタの好適態様は以下の通りである。
（１）略垂直が透明樹脂層に対して７０〜９０度の範囲である。
（２）光吸収層の厚さが、１〜１０μｍの範囲である。
（３）透明基部が、プラスチックフィルムからなる。
（４）透明樹脂層が、紫外線硬化性樹脂から形成されている。
（５）プラズマディスプレイパネル用フィルタである。
（６）ディスプレイ用光学フィルタがガラス基板に貼付されたディスプレイ用光学フィルタである。
【００１９】
また、前記製造方法の好適態様を上記光学フィルタでも適用することができる。
【００２０】
さらにまた、本発明は、
上記のディスプレイ用光学フィルタを備えた（一般に光学フィルタが画像表示ガラス板の表面に貼り合わされている）ことを特徴とするディスプレイ；及び
上記のディスプレイ用光学フィルタを備えた（一般に光学フィルタが画像表示ガラス板の表面に貼り合わされている）ことを特徴とするプラズマディスプレイパネルにもある。
【００２１】
ディスプレイ用光学フィルタが、導電層が設けられていない側の表面と画像表示ガラス板の表面との接着により、画像表示ガラス板に貼り合わされていることが好ましい。
【発明の効果】
【００２２】
本発明のディスプレイ用光学フィルタの製造方法では、外光の遮断及び画像のコントラスト向上に有効な光吸収層（ルーバー層のブラックストライプ部）を極めて簡便に、且つ確実に形成することができる、或いは光吸収層を極めて簡便に且つ確実に形成することができる材料を用いている。即ち、光吸収層を、例えば、光吸収層形成材料を全面塗布、次いで光硬化、現像という簡便な作業で製造することができる。従って、本発明の製造方法を用いることにより、外光の遮断及び画像のコントラストが向上したディスプレイ用光学フィルタを極めて簡易に製造することができる。
【００２３】
このため、このようにして製造されたディスプレイ用光学フィルタは、生産性に優れたものであるということができる。
【００２４】
以上より、本発明の光学フィルタは、上記のようにディスプレイに表示された画像の防眩性、透明性等に優れ、プラズマディスプレイパネル（ＰＤＰ）、ＥＬディスプレイなどの光学物品の表面に貼付されるディスプレイ用フィルタとして有用である。
【発明を実施するための最良の形態】
【００２５】
本発明の光学フィルタについて図を用いて説明する。
【００２６】
図１は、本発明の光学フィルタの製造方法の１例を説明するための概略断面図である。
【００２７】
本発明の光学フィルタは、例えば図１に示すように製造される。すなわち、透明基部１１ａと、その表面の断面視３角形の多数の山形凸部が連結した透明の山形部１１ｂとからなり、且つ山形部の断面視三角形の短辺に相当する側壁に光吸収層１１ｃが設けられた山形基板１１を用意し、次いで、山形部１１ｂの少なくとも山形凸部の間隙に紫外線硬化樹脂等の透明樹脂１２を充填し、必要により透明樹脂を硬化させ、光吸収層を有する光学フィルタ１０を得る。透明樹脂１２は、図１に示すように光吸収層１１ｃの部分より上側にも形成されていても良い。また透明樹脂１２の上にさらに透明基板を設けても良い。山形基板１１は、いわゆるルーバー層であり、光吸収層１１ｃは、そのブラックストライプ部に当たる。山形凸部の３角形における底辺と短辺（光吸収層１１ｃを有する面に対応する辺）とのなす角度（θ）は一般に７０〜１００度であり、特に７０〜９０度が好ましい。これにより良好な視野角と、良好なコントラストとが得られ易い。透明基部１１ａと山形部１１ｂは、一体であっても、別の樹脂から構成されていても良い。
【００２８】
図１で得られる光吸収層を有する光学フィルタは、山形部１１ｂの樹脂材料と山形凸部の間隙に紫外線硬化樹脂等の透明樹脂１２とは、上記のように製造されることから一般に異なっている。しかしながら、高い透明性を確保するため、これらの屈折率は等しいか、ほぼ等しいことが好ましい。従って、本発明では、光吸収層１１ｃを挟んで隣接する光吸収層１１ｃ近傍の透明樹脂層１２の屈折率が異なっており、その差が０．０１〜０．５０、特に０．０１〜０．２０である光学フィルタも好ましく、本発明の光学フィルタに当たる。
【００２９】
山形凸部の３角形の短辺の長さは、２０〜４００μｍの範囲、特に１００〜３００μｍの範囲が好ましい。良好な視野角と、良好なコントラストとが得られ易い。また、山形凸部の３角形の長辺の長さは、３０〜５００μｍの範囲、特に１００〜３００μｍの範囲が好ましい。良好な視野角と、良好なコントラストとが得られ易い。さらに、光吸収層１１ｃのピッチは、３０〜５００μｍの範囲、特に１００〜３００μｍの範囲が好ましい。良好な視野角と、良好なコントラストとが得られ易い。山形基板の基部１１ａの厚さは、１０〜２０００μｍの範囲、特に２５〜２５０μｍの範囲が好ましい。光吸収層１１ｃの厚さが、１〜１０μｍの範囲である。
【００３０】
上記光学フィルタとしての各種特性を付与するため、得られた光学フィルタに、さらに導電層、防眩層、反射防止層、ハードコート層、赤外線吸収層等の各種機能層を設けることができる。
【００３１】
光吸収層が設けられた山形基板は、例えば以下のように製造することができる。
【００３２】
まず山形基板２１を作製する。即ち、切削加工によって反山形形状が彫刻された金型に、予熱したプラスチック樹脂のシートを加熱、加圧して成形する。或いは反山形形状が彫刻された金型とプラスチック樹脂のシートの間に紫外線硬化性樹脂を挟み込み、金型の形状を転写した状態で、紫外線を照射した後に離型し、前記シートと紫外線硬化樹脂が一体とした成形品を作製することもできる。
【００３３】
次いで、図２に示すように、上記のようにして得られた山形基板２１の山形部の表面に光吸収剤を含有したネガ型フォトレジスト２１ｃを塗布し（工程Ａ）、必要により乾燥した後、山形基板２１の裏面より紫外線を照射する（工程Ｂ）。これにより、山形凸部の３角形の底辺を除いた長辺に相当する山形凸部の側壁の表面に紫外線が照射される。山形凸部の３角形の底辺を除いた短辺に相当する山形凸部の側壁の表面は、上記のように紫外線を照射しても露光することがない、もしくは露光してもその露光量は、極めて少なくネガ型感光性材料の感光の度合いは低い。このため、露光された長辺に相当する山形凸部の側壁の表面のネガ型フォトレジスト２１ｃは、次のアルカリ現像工程で膜状に除去されるが、短辺に相当する山形凸部の側壁の表面のネガ型フォトレジスト２１ｃは、次の現像工程で除去されない。このように現像を行うことによって、短辺に相当する山形凸部の側壁の表面のネガ型フォトレジスト２１ｃが残り（工程Ｃ）、光吸収層２１ｃが設けられた山形基板２１が得られる。
【００３４】
上記アルカリ現像は、現像液をネガ型フォトレジスト２１ｃに接触させることにより行う。現像液は、通常使用される公知のアルカリ水溶液、アンモニア水（アンモニア水が好ましい）が使用される。現像液の塗布方法は、ディップ法やスプレーによる塗布方法を使用することができる。この現像工程により、ネガ型のネガ型フォトレジストの特性である感光した部分のネガ型フォトレジストのみが剥離する。その後、純水で洗浄し、乾燥させ、さらに加熱処理を行い、感光性材料の安定化を図り、光吸収層２１ｃが設けられた山形基板２１が得られる。
【００３５】
光吸収層の形成を、光吸収剤含有ポジ型フォトレジストの代わりに光吸収剤含有ポジ型フォトレジストを用いて同様に行うことができる。この場合感光したポジ型フォトレジストは、カルボン酸を生成するため、アルカリ現像で除去される。
【００３６】
上記光学フィルタとしての各種特性を付与するため、得られた光学フィルタに、さらに導電層、防眩層、反射防止層、ハードコート層、赤外線吸収層等の各種機能層を設けることができる。以下にその好ましい態様について述べる。
【００３７】
図３は、本発明の光学フィルタの好適態様の１例を示す概略断面図である。
【００３８】
本発明の光学フィルタは、図１で得られた光吸収層を有する光学フィルタ３０、その一方の表面に設けられたメッシュ状の導電層（電磁波シールド層）３３、さらに導電層３３上に設けられたハードコート層３４及びその上に設けられた低屈折率層等の反射防止層３５、及び他方の表面に設けられた近赤外線吸収層３６及びその上に透明粘着剤層３７から構成されている。光吸収層を有する光学フィルタ３０は、透明樹脂（例、図１の１２）の上に透明基板が設けられていても良く、以下の図４〜７の態様でも同様である。
【００３９】
この態様では、ハードコート層３４は導電層３３のメッシュ間の空隙を埋めるように設けられ、そのほぼ平坦な表面に薄層の反射防止層３５が設けられている。これにより、優れた透明性を確保することができる。ハードコート層又は反射防止層は防眩層でも良い。
【００４０】
図４は、本発明の光学フィルタの別の好適態様の１例を示す概略断面図である。
【００４１】
本発明の光学フィルタは、図１で得られた光吸収層を有する光学フィルタ４０、その一方の表面に設けられた低屈折率層等の反射防止層４５、及び他方の表面に設けられたメッシュ状の導電層４３、さらに導電層３３上に透明化層４８を介して設けられた近赤外線吸収層４６及びその上に透明粘着剤層４７から構成されている。
【００４２】
この態様では、透明化層４８が導電層３３のメッシュ間の空隙を埋めるように設けられ、そのほぼ平坦な表面に薄層の近赤外線吸収層４６が設けられている。これにより、優れた透明性を確保することができる。反射防止層４５は一般にハードコート性を有する。また図３のようにハードコート層と反射防止層の構成でも良い。
【００４３】
図５は、本発明の光学フィルタの別の好適態様の１例を示す概略断面図である。
【００４４】
本発明の光学フィルタでは、図１で得られた光吸収層を有する光学フィルタ５０、その一方の表面に低屈折率層等の反射防止層５５が設けられ、そして他方の表面には、一方の表面メッシュ状の導電層５３が設けられ且つ他方の表面に近赤外線吸収層５６及びその上に透明粘着剤層５７Ａが設けられた透明基板５９が、別の透明粘着剤層５７Ｂを介して設けられている。図３及び図４の態様では透明基板（３０，４０）が１枚であるが、図５の態様では２枚使用している。２枚使用することにより、光学フィルタの構成の変更が容易なる。
【００４５】
図６は、本発明の光学フィルタの別の好適態様の１例を示す概略断面図である。
【００４６】
本発明の光学フィルタでは、図１で得られた光吸収層を有する光学フィルタ６０、その一方の表面に低屈折率層等の反射防止層６５が設けられ、そして他方の表面には近赤外線吸収層５６が設けられ、そして、一方の表面メッシュ状の導電層６３が設けられ且つ他方の表面に透明粘着剤層６７Ａが設けられた透明基板６９が、別の透明粘着剤層６７Ｂを介して近赤外線吸収層６６上に設けられている。この態様でも透明基板を２枚使用している。
【００４７】
図７は、本発明の光学フィルタの別の好適態様の１例を示す概略断面図である。
【００４８】
本発明の光学フィルタでは、図１で得られた光吸収層を有する光学フィルタ７０の一方の表面に、一方の表面に低屈折率層等の反射防止層７５及び他方の表面に近赤外線吸収層７６を有する透明基板７９Ｂが透明粘着剤層７７Ｃを介して設けられ、そして、光学フィルタ７０の他方の表面に、一方の表面メッシュ状の導電層７３及び他方の表面に透明粘着剤層７７Ａを有する透明基板７９Ａが透明粘着剤層７７Ｂを介して設けられている。この態様では透明基板を３枚使用している。
【００４９】
本発明の光学フィルタをＰＤＰに使用する場合、ハードコート層、或いはハードコート層及び低屈折率層等の導電層上の各層は、縁部領域に、導電層露出領域（一般にレーザ等により各層を除去することにより得られる）を有するか、或いは縁部領域に、導電層露出領域とその外側の縁部防眩層、或いは縁部防眩層及び低屈折率層を有することが好ましい。この様な導電層露出領域を用いてＰＤＰの貼付した時に導通が容易にとることができる。
【００５０】
反射防止層は、低屈折率層、高屈折率層等の単独又は積層体であり、或いは、ハードコート層、と低屈折率層、高屈折率層との組合せでも良い。例えば、ハードコート層とその上に設けられた低屈折率層との複合膜により反射防止効果を効率良くに示す。この低屈折率層とハードコート層との間に高屈折率層を設けても良い。これにより反射防止機能は向上する。
【００５１】
ハードコート層又は反射防止層の代わりに防眩層（いわゆるアンチグレア層）を設けても良い。但し、本発明の光吸収層を有する光学フィルタは、防眩性も有するので、一般に防眩層は必要としない。
【００５２】
ハードコート層、防眩層、反射防止層等は、一般に塗工により形成される。生産性、経済性の観点から好ましい。
【００５３】
図３〜５では、近赤外線吸収層及び透明粘着剤層の例を示したが、近赤外線吸収層、ネオンカット層又は透明粘着剤層、或いはこれらの層の２層以上の組合せても良い。あるいは、近赤外線吸収機能及びネオンカット機能を有する透明粘着剤層からなるか、或いはネオンカット機能を有する近赤外線吸収層、及び透明粘着剤層（この順で透明フィルム上に設けられている）からなるか、或いは近赤外線吸収層、ネオンカット層及び透明粘着剤層（この順で透明フィルム上に設けられている）からなることも好ましい。
【００５４】
上記導電層は、一般にメッシュ状の金属層又は金属含有層である。メッシュ状の金属層又は金属含有層は、一般に、エッチングにより、又は印刷法により形成されているか、金属繊維層である。これにより低抵抗を得られやすい。一般に、メッシュ状の金属層又は金属含有層のメッシュの空隙は、前記のように、ハードコート層、透明化層等で埋められていることが好ましい。これにより透明性、防眩性が向上する。
【００５５】
防眩層、反射防止層等は、一般に塗工により形成される。生産性、経済性の観点から好ましい。
【００５６】
上記近赤外線吸収層６６は、ＰＤＰのネオン発光等の不要な光を遮断する機能を有する。一般に８００〜１２００ｎｍに吸収極大を有する色素を含む層である。透明粘着層６７は一般にディスプレイへ容易に装着するために設けられている。透明粘着剤層６７の上に剥離シートを設けても良い。
【００５７】
本発明のディスプレイ用光学フィルタは、例えば、本発明の光吸収層を有する光学フィルタ（一般に透明フィルム）の表面の全域に、メッシュ状の金属導電層を形成し、次いで、メッシュ状の金属導電層の全域にハードコート層（必要により反射防止層）を、塗布、紫外線硬化することにより形成し、裏面に、近赤外線吸収層及びその上に透明粘着剤層を塗布により形成することにより得られる。
【００５８】
上記ディスプレイ用光学フィルタは透明フィルム（光吸収層を有する光学フィルタ）を１枚用いているが、透明フィルムは２枚用いても良い。例えば、メッシュ状導電層を有する透明フィルム（一般に裏面に近赤外線吸収層等有する）の導電層上に、低屈折率層等の反射防止層を有する本発明の光吸収層を有する光学フィルタ（一般に透明フィルム）の裏面を粘着剤層を介して接着することによっても得られる。
【００５９】
透明フィルム２枚以上の使用は、製造上有利である場合に採用されるが、厚さが大きくなるので嵩高くなる点で不利である。
【００６０】
本発明のディスプレイ用光学フィルタに使用される材料について以下に説明する。
【００６１】
本発明の山形基板は、前述のように（１）プラスチック樹脂を成形することにより、あるいは（２）金型とプラスチック樹脂のシートの間に紫外線硬化性樹脂を挟み込んで成形する２つの方法で一般に製造することができる。さらに（３）紫外線硬化性樹脂を金型に注入、光硬化させることもできる。
【００６２】
上記（１）で使用されるプラスチック樹脂としては、透明（「可視光に対して透明」を意味する。）で成形可能であれば特に制限はなく、例えば、ポリエステル｛例、ポリエチレンテレフタレート（ＰＥＴ）、ポリブチレンテレフタレート｝、ポリメチルメタクリレート（ＰＭＭＡ）、アクリル樹脂、ポリカーボネート（ＰＣ）、ポリスチレン、トリアセテート樹脂、ポリエチレン、エチレン−酢酸ビニル共重合体、ポリビニルブチラール、金属イオン架橋エチレン−メタクリル酸共重合体、ポリウレタン、セロファン等を挙げることができる。これらの中でも、加工時の負荷（熱、溶剤、折り曲げ等）に対する耐性が高く、透明性が特に高い等の点で、ポリエチレンテレフタレート（ＰＥＴ）、ポリカーボネート（ＰＣ）、ポリメチルメタクリレート（ＰＭＭＡ）、アクリル樹脂等が好ましい。特に、アクリル樹脂が、加工性に優れているので好ましい。ガラス板等の無機の基板を用いても良い。
【００６３】
上記の（２）プラスチック樹脂のシート（山形基板の基部に相当）と紫外線硬化性樹脂とを用いる場合、プラスチック樹脂シートのプラスチック樹脂としては、透明（「可視光に対して透明」を意味する。）で、紫外線硬化性樹脂と接着性が良好であれば良く、例えば、ポリエステル｛例、ポリエチレンテレフタレート（ＰＥＴ）、ポリブチレンテレフタレート｝、ポリメチルメタクリレート（ＰＭＭＡ）、アクリル樹脂、ポリカーボネート（ＰＣ）、ポリスチレン、トリアセテート樹脂、ポリビニルアルコール、ポリ塩化ビニル、ポリ塩化ビニリデン、ポリエチレン、エチレン−酢酸ビニル共重合体、ポリビニルブチラール、金属イオン架橋エチレン−メタクリル酸共重合体、ポリウレタン、セロファン等を挙げることができる。これらの中でも、加工時の負荷（熱、溶剤、折り曲げ等）に対する耐性が高く、透明性が特に高い等の点で、ポリエチレンテレフタレート（ＰＥＴ）、ポリカーボネート（ＰＣ）、ポリメチルメタクリレート（ＰＭＭＡ）等が好ましい。特に、ＰＥＴが、加工性に優れているので好ましい。ガラス板等の無機の基板を用いても良い。プラスチック樹脂のシートの厚さは、１０〜２０００μｍの範囲、特に２５〜２５０μｍの範囲が好ましい。
【００６４】
上記（２）及び（３）で使用される紫外線硬化性樹脂としては、後述するハードコート層における紫外線硬化性樹脂を使用することができる。特に（メタ）アクリロイル基を有するフッ素系ポリマー、オリゴマーを使用することが好ましい。
【００６５】
別の透明基板（一般に透明フィルム）を使用する場合も、上記のプラスチック樹脂のシートと同様の材料を使用することができる。透明フィルムの厚さとしては、光学フィルタの用途等によっても異なるが、一般に１μｍ〜１０ｍｍ、１μｍ〜５ｍｍ、特に２５〜２５０μｍが好ましい。
【００６６】
山形基板の短辺壁面に設けられ光吸収層は、黒色又は濃褐色等の濃色の色材を含有するネガ型フォトレジストを山形基板全面に塗布し、長辺壁面フォトレジストのみ紫外線照射し、現像により長辺壁面フォトレジストを除去して得られる。
【００６７】
黒色又は濃褐色等の濃色の色材としては、濃色の顔料、染料を用いることができ、例えば、カーボンブラック、黒鉛、鉄黒、群青、紺青、フタロシアニンブルー、銅粉等の金属粉を挙げることができる。色材の含有量は、フォトレジストの固形分に対し１〜５質量％が好ましい。この範囲より少ないと十分な着色が得られず、多すぎるとＵＶ硬化が不十分となる。
【００６８】
ネガ型フォトレジストとしては、例えば、アクリロイル基を有するポリマー（例、アクリロイル基を有する酢酸ビニル・アクリロニトリル共重合体）、バインダ（例、ＭＭＡ・ＨＥＭＡ共重合体）及び光開始剤の組合せ；ポリ桂皮酸ビニル；ジアリルフタレートのポリマー；ポリシンナミリデンアセテート、アジドポリマー、環化ポリイソプレンとビスアジドの組合せ等のアジド系等を挙げることができる。本発明では光硬化部分をアルカリ現像により除去する。
【００６９】
ポジ型フォトレジストとしては、例えば、キノンジアジド、キノンアジドとノボラックの組合せを挙げることができる。ここでは光照射部分がアルカリ可溶性となり、現像により除去される。
【００７０】
光吸収層１１ｃの厚さは、一般に１〜１０μｍの範囲である。
【００７１】
山形部１１ｂの少なくとも山形凸部の間隙に充填する透明樹脂１２は、一般に紫外線硬化性樹脂であるが、熱硬化性樹脂を用いても良い。ここで用いられる紫外線硬化性樹脂等の樹脂もハードコート層で示されたものを使用することができる。透明樹脂１２は、山形凸部の間隙のみならず、その上まで設けて表面を平坦にすることが好ましい。山形凸部の頂部から透明樹脂１２の層の最表面までの厚さは、一般に５〜２５μｍ、５〜２０μｍが好ましい。
【００７２】
透明樹脂の層の樹脂組成と、山形部の樹脂組成は、同一でも異なっていても良いが、屈折率の差は０．５０以下であることが好ましい。本発明の製造方法で得られる光学フィルタでは、屈折率の差は０．０１〜０．５０であることが一般的である。これにより優れた光透過性を獲得することができる。
【００７３】
本発明の導電層は、得られる光学フィルタの表面抵抗値が、一般に１０Ω／□以下、好ましくは０．００１〜５Ω／□の範囲、特に０．００５〜５Ω／□のとなるように設定される。
【００７４】
本発明の導電層は、メッシュ状の金属導電層が好ましい。メッシュ状の金属導電層としては金属繊維及び金属被覆有機繊維の金属を網状にしたもの、透明フィルム上の銅箔等の層を網状にエッチング加工し、開口部を設けたもの、透明フィルム上に導電性インクをメッシュ状に印刷したもの、等を挙げることができる。
【００７５】
メッシュ状の金属導電層の場合、メッシュとしては、金属繊維及び／又は金属被覆有機繊維よりなる線径１μｍ〜１ｍｍ、開口率４０〜９５％のものが好ましい。より好ましい線径は１０〜５００μｍ、開口率は５０〜９５％である。メッシュ状の導電層において、線径が１ｍｍを超えると電磁波シールド性が向上するが、開口率が低下し両立させることができない。１μｍ未満では、メッシュとしての強度が下がり取扱いが困難となる。また開口率が９５％を超えるとメッシュとしての形状を維持することが困難であり、４０％未満では光透過性が低下し、ディスプレイからの光量も低下する。
【００７６】
なお、導電性メッシュの開口率とは、当該導電性メッシュの投影面積における開口部分が占める面積割合を言う。
【００７７】
メッシュ状の導電層を構成する金属繊維及び金属被覆有機繊維の金属としては、銅、ステンレス、アルミニウム、ニッケル、チタン、タングステン、錫、鉛、鉄、銀、炭素或いはこれらの合金、好ましくは銅、ステンレス、ニッケルが用いられる。
【００７８】
金属被覆有機繊維の有機材料としては、ポリエステル、ナイロン、塩化ビニリデン、アラミド、ビニロン、セルロース等が用いられる。
【００７９】
金属箔等の導電性の箔をパターンエッチングしたもの場合、金属箔の金属としては、銅、ステンレス、アルミニウム、ニッケル、鉄、真鍮、或いはこれらの合金、好ましくは銅、ステンレス、アルミニウムが用いられる。
【００８０】
金属箔の厚さは、薄過ぎると取扱い性やパターンエッチングの作業性等の面で好ましくなく、厚過ぎると得られるフィルムの厚さに影響を及ぼし、エッチング工程の所要時間が長くなることから、１〜２００μｍ程度とするのが好ましい。
【００８１】
エッチングパターンの形状には特に制限はなく、例えば四角形の孔が形成された格子状の金属箔や、円形、六角形、三角形又は楕円形の孔が形成されたパンチングメタル状の金属箔等が挙げられる。また、孔は規則的に並んだものに限らず、ランダムパターンとしても良い。この金属箔の投影面における開口部分の面積割合は、２０〜９５％であることが好ましい。線幅１μｍ〜１ｍｍ、開口率４０〜９５％のものが好ましい。より好ましい線幅は１０〜５００μｍ、開口率は５０〜９５％である。
【００８２】
上記の他に、メッシュ状の金属導電層として、フィルム面に、溶剤に対して可溶な材料によってドットを形成し、フィルム面に溶剤に対して不溶な導電材料からなる導電材料層を形成し、フィルム面を溶剤と接触させてドット及びドット上の導電材料層を除去することによって得られるメッシュ状金属導電層を用いても良い。
【００８３】
金属導電層上に、さらに金属メッキ層を、導電性を向上させるためは設けても良い（特に、上記溶剤に対して可溶な材料によってドットを形成する方法の場合）。金属メッキ層は、公知の電解メッキ法、無電解メッキ法により形成することができる。メッキに使用される金属としては、一般に銅、銅合金、ニッケル、アルミ、銀、金、亜鉛又はスズ等を使用することが可能であり、好ましくは銅、銅合金、銀、又はニッケルであり、特に経済性、導電性の点から、銅又は銅合金を使用することが好ましい。
【００８４】
また、防眩性能を付与させても良い。この防眩化処理を行う場合、（メッシュ）導電層の表面に黒化処理を行っても良い。例えば、金属膜の酸化処理、クロム合金等の黒色メッキ、黒又は暗色系のインクの塗布等を行うことができる。
【００８５】
本発明の導電層としては、上記メッシュ状金属導電層以外に、公知の導電層（例、金属の薄層、ＩＴＯ等の金属酸化物の透明導電層）を使用しても良い。
【００８６】
本発明のハードコート層は、アクリル樹脂層、エポキシ樹脂層、ウレタン樹脂層、シリコン樹脂層等の樹脂を主成分とする層である。後述するように屈折率等の調整のために、さらに微粒子を含んでも良い。通常その厚さは１〜２０μｍ、好ましくは１〜１５μｍである。
【００８７】
樹脂は、一般に熱硬化性樹脂、紫外線硬化性樹脂であり、紫外線硬化性樹脂が好ましい。紫外線硬化性樹脂は、短時間で硬化させることができ、生産性に優れ好ましい。
【００８８】
熱硬化性樹脂としては、フェノール樹脂、レゾルシノール樹脂、尿素樹脂、メラミン樹脂、エポキシ樹脂、アクリル樹脂、ウレタン樹脂、フラン樹脂、シリコン樹脂などを挙げることができる。
【００８９】
ハードコート層としては、紫外線硬化性樹脂組成物（紫外線硬化性樹脂、光重合開始剤等からなる）を主成分とする層の硬化層が好ましい。
【００９０】
紫外線硬化性樹脂（モノマー、オリゴマー）としては、例えば、２−ヒドロキシエチル（メタ）アクリレート、２−ヒドロキシプロピル（メタ）アクリレート、４−ヒドロキシブチル（メタ）アクリレート、２−エチルヘキシルポリエトキシ（メタ）アクリレート、ベンジル（メタ）アクリレート、イソボルニル（メタ）アクリレート、フェニルオキシエチル（メタ）アクリレート、トリシクロデカンモノ（メタ）アクリレート、ジシクロペンテニルオキシエチル（メタ）アクリレート、テトラヒドロフルフリル（メタ）アクリレート、アクリロイルモルホリン、Ｎ−ビニルカプロラクタム、２−ヒドロキシ−３−フェニルオキシプロピル（メタ）アクリレート、ｏ−フェニルフェニルオキシエチル（メタ）アクリレート、ネオペンチルグリコールジ（メタ）アクリレート、ネオペンチルグリコールジプロポキシジ（メタ）アクリレート、ヒドロキシピバリン酸ネオペンチルグリコールジ（メタ）アクリレート、トリシクロデカンジメチロールジ（メタ）アクリレート、１，６−ヘキサンジオールジ（メタ）アクリレート、ノナンジオールジ（メタ）アクリレート、トリメチロールプロパントリ（メタ）アクリレート、ペンタエリスリトールトリ（メタ）アクリレート、ペンタエリスリトールテトラ（メタ）アクリレート、トリス〔（メタ）アクリロキシエチル〕イソシアヌレート、ジトリメチロールプロパンテトラ（メタ）アクリレート等の（メタ）アクリレートモノマー類；ポリオール化合物（例えば、エチレングリコール、プロピレングリコール、ネオペンチルグリコール、１，６−ヘキサンジオール、３−メチル−１，５−ペンタンジオール、１，９−ノナンジオール、２−エチル−２−ブチル−１，３−プロパンジオール、トリメチロールプロパン、ジエチレングリコール、ジプロピレングリコール、ポリプロピレングリコール、１，４−ジメチロールシクロヘキサン、ビスフェノールＡポリエトキシジオール、ポリテトラメチレングリコール等のポリオール類、前記ポリオール類とコハク酸、マレイン酸、イタコン酸、アジピン酸、水添ダイマー酸、フタル酸、イソフタル酸、テレフタル酸等の多塩基酸又はこれらの酸無水物類との反応物であるポリエステルポリオール類、前記ポリオール類とε−カプロラクトンとの反応物であるポリカプロラクトンポリオール類、前記ポリオール類と前記、多塩基酸又はこれらの酸無水物類のε−カプロラクトンとの反応物、ポリカーボネートポリオール、ポリマーポリオール等）と有機ポリイソシアネート（例えば、トリレンジイソシアネート、イソホロンジイソシアネート、キシリレンジイソシアネート、ジフェニルメタン−４，４′−ジイソシアネート、ジシクロペンタニルジイソシアネート、ヘキサメチレンジイソシアネート、２，４，４′−トリメチルヘキサメチレンジイソシアネート、２，２′−４−トリメチルヘキサメチレンジイソシアネート等）と水酸基含有（メタ）アクリレート（例えば、２−ヒドロキシエチル（メタ）アクリレート、２−ヒドロキシプロピル（メタ）アクリレート、４−ヒドロキシブチル（メタ）アクリレート、２−ヒドロキシ−３−フェニルオキシプロピル（メタ）アクリレート、シクロヘキサン−１，４−ジメチロールモノ（メタ）アクリ��ート、ペンタエリスリトールトリ（メタ）アクリレート、ペンタエリスリトールペンタ（メタ）アクリレート、ジペンタエリスリトールヘキサ（メタ）アクリレート、グリセリンジ（メタ）アクリレート等）の反応物であるポリウレタン（メタ）アクリレート、ビスフェノールＡ型エポキシ樹脂、ビスフェノールＦ型エポキシ樹脂等のビスフェノール型エポキシ樹脂と（メタ）アクリル酸の反応物であるビスフェノール型エポキシ（メタ）アクリレート等の（メタ）アクリレートオリゴマー類、さらに（メタ）アクリロイル基を有するフッ素系ポリマー及びオリゴマー類等を挙げることができる。これら化合物は１種又は２種以上、混合して使用することができる。これらの紫外線硬化性樹脂を、熱重合開始剤とともに用いて熱硬化性樹脂として使用してもよい。
【００９１】
ハードコート機能を付与するには、上記の紫外線硬化性樹脂（モノマー、オリゴマー）の内、ペンタエリスリトールトリ（メタ）アクリレート、ペンタエリスリトールペンタ（メタ）アクリレート、ジペンタエリスリトールヘキサ（メタ）アクリレート等の硬質の多官能モノマーを主に使用することが好ましい。
【００９２】
紫外線硬化性樹脂の光重合開始剤として、紫外線硬化性樹脂の性質に適した任意の化合物を使用することができる。例えば、２−ヒドロキシ−２−メチル−１−フェニルプロパン−１−オン、１−ヒドロキシシクロヘキシルフェニルケトン、２−メチル−１−（４−（メチルチオ）フェニル）−２−モルホリノプロパン−１などのアセトフェノン系、ベンジルジメチルケタールなどのベンゾイン系、ベンゾフェノン、４−フェニルベンゾフェノン、ヒドロキシベンゾフェノンなどのベンゾフェノン系、イソプロピルチオキサントン、２−４−ジエチルチオキサントンなどのチオキサントン系、その他特殊なものとしては、メチルフェニルグリオキシレートなどが使用できる。特に好ましくは、２−ヒドロキシ−２−メチル−１−フェニルプロパン−１−オン、１−ヒドロキシシクロヘキシルフェニルケトン、２−メチル−１−（４−（メチルチオ）フェニル）−２−モルホリノプロパン−１、ベンゾフェノン等が挙げられる。これら光重合開始剤は、必要に応じて、４−ジメチルアミノ安息香酸のごとき安息香酸系叉は、第３級アミン系などの公知慣用の光重合促進剤の１種または２種以上を任意の割合で混合して使用することができる。また、光重合開始剤のみの１種または２種以上の混合で使用することができる。特に１−ヒドロキシシクロヘキシルフェニルケトン(チバ・スペシャリティケミカルズ社製、イルガキュア１８４）が好ましい。
【００９３】
光重合開始剤の量は、樹脂組成物に対して一般に０．１〜１０質量％、好ましくは０．１〜５質量％である。
【００９４】
さらに、ハードコート層は、紫外線吸収剤、赤外線吸収剤、老化防止剤、塗料加工助剤、着色剤等を少量含んでいても良い。特に、紫外線吸収剤（例、ベンゾトリアゾール系紫外線吸収剤又はベンゾフェノン系紫外線吸収剤）を含むことが好ましく、これによりフィルタの黄変等の防止が効率的に行うことができる。その量は、樹脂組成物に対して一般に０．１〜１０質量％、好ましくは０．１〜５質量％である。
【００９５】
導電層上に設けられる透明化層も、一般に上記ハードコート層と同様の組成を有している。透明化層の厚さは、メッシュ状導電層の空隙を埋める必要があるので、ほぼメッシュの厚さ（高さ）に相当する。
【００９６】
ハードコート層は、光吸収層付き光学フィルタの透明樹脂の層或いは透明基板より屈折率が低いことが好ましい。上記紫外線硬化性樹脂を用いることにより一般に透明フィルムより低い屈折率を得られやすい。従って、透明基板としては、ＰＥＴ等の高い屈折率の材料を用いることが好ましい。このため、ハードコート層は、屈折率を、１．６０以下にすることが好ましい。膜厚は前記の通りである。なお、光吸収層付き光学フィルタの透明樹脂の層上には、透明樹脂の層をハードコート化することにより、透明樹脂の層上に低屈折率層等の反射防止層を設ける構成とすることも、生産性から好ましい。
【００９７】
反射防止層の低屈折率層は、シリカ、フッ素樹脂等の微粒子、好ましくは中空シリカを１０〜４０重量％（好ましくは１０〜３０質量％）がポリマー（好ましくは紫外線硬化性樹脂）中に分散した層（硬化層）であることが好ましい。この低屈折率層の屈折率は、１．４５〜１．５１が好ましい。この屈折率が１．５１超であると、反射防止フィルムの反射防止特性が低下する。膜厚は一般に１０〜５００ｎｍの範囲、好ましくは２０〜２００ｎｍである。
【００９８】
中空シリカとしては、平均粒径１０〜１００ｎｍ、好ましくは１０〜５０ｎｍ、比重０．５〜１．０、好ましくは０．８〜０．９のものが好ましい。
【００９９】
反射防止性を高めるために低屈折率層上には高屈折率層を設けても良い。高屈折率層は、ポリマー（好ましくは紫外線硬化性樹脂）中に、ＩＴＯ、ＡＴＯ、Ｓｂ2Ｏ3、ＳｂＯ2、Ｉｎ2Ｏ3、ＳｎＯ2、ＺｎＯ、ＡｌをドープしたＺｎＯ、ＴｉＯ2等の導電性金属酸化物微粒子（無機化合物）が分散した層（硬化層）とすることが好ましい。金属酸化物微粒子としては、平均粒径１０〜１００００ｎｍ、好ましくは１０〜５０ｎｍのものが好ましい。特にＩＴＯ（特に平均粒径１０〜５０ｎｍのもの）が好ましい。屈折率を１．６４以上としたものが好適である。膜厚は一般に１０〜５００ｎｍの範囲、好ましくは２０〜２００ｎｍである。
【０１００】
なお、高屈折率層が導電層である場合、この高屈折率層２の屈折率を１．６４以上とすることにより反射防止フィルムの表面反射率の最小反射率を１．５％以内にすることができ、１．６９以上、好ましくは１．６９〜１．８２とすることにより反射防止フィルムの表面反射率の最小反射率を１．０％以内にすることができる。
【０１０１】
ハードコート層、低屈折率層等の反射防止層の、各層を形成するには、例えば、前記の通り、樹脂（好ましくは紫外線硬化性樹脂）に必要に応じ上記の微粒子を配合し、得られた塗工液を、前記の導電層が設けられた透明フィルムの該導電層表面に塗工し、次いで乾燥した後、紫外線照射して硬化すればよい。この場合、各層を１層ずつ塗工し硬化させてもよく、全層を塗工した後、まとめて硬化させてもよい。
【０１０２】
塗工の具体的な方法としては、アクリル系モノマー等を含む紫外線硬化性樹脂をトルエン等の溶媒で溶液にした塗工液をグラビアコータ等によりコーティングし、その後乾燥し、次いで紫外線により硬化する方法を挙げることができる。このウェットコーティング法であれば、高速で均一に且つ安価に成膜できるという利点がある。このコーティング後に例えば紫外線を照射して硬化することにより密着性の向上、膜の硬度の上昇という効果が得られる。
【０１０３】
紫外線硬化の場合は、光源として紫外〜可視領域に発光する多くのものが採用でき、例えば超高圧、高圧、低圧水銀灯、メタルハライドランプ、ケミカルランプ、キセノンランプ、ハロゲンランプ、マーキュリーハロゲンランプ、カーボンアーク灯、白熱灯、レーザ光等を挙げることができる。照射時間は、ランプの種類、光源の強さによって一概には決められないが、数秒〜数分程度である。また、硬化促進のために、予め積層体を４０〜１２０℃に加熱し、これに紫外線を照射してもよい。
【０１０４】
近赤外線吸収層は、一般に、透明基板等の表面に色素等を含む層が形成することにより得られる。近赤外線吸収層は、例えば上記色素及びバインダ樹脂等を含む紫外線硬化性又は電子線硬化性の樹脂、或いは熱硬化性樹脂を含む塗工液を塗工、必要により乾燥、そして硬化させることにより得られる。或いは上記色素及びバインダ樹脂等を含む塗工液を塗工、そして単に乾燥させることによっても得られる。フィルムとして使用する場合は、一般に近赤外線カットフィルムであり、例えば色素等を含有するフィルムである。色素としては、一般に８００〜１２００ｎｍの波長に吸収極大を有するもので、例としては、フタロシアニン系色素、金属錯体系色素、ニッケルジチオレン錯体系色素、シアニン系色素、スクアリリウム系色素、ポリメチン系色素、アゾメチン系色素、アゾ系色素、ポリアゾ系色素、ジイモニウム系色素、アミニウム系色素、アントラキノン系色素、を挙げることができ、特にシアニン系色素又、フタロシアニン系色素、ジイモニウム系色素が好ましい。これらの色素は、単独又は組み合わせて使用することができる。バインダ樹脂の例としては、アクリル樹脂等の熱可塑性樹脂を挙げることができる。
【０１０５】
本発明では、近赤外線吸収層に、ネオン発光の吸収機能を付与することにより色調の調節機能を持たせても良い。このために、ネオン発光の吸収層を設けても良いが、近赤外線吸収層にネオン発光の選択吸収色素を含有させても良い。
【０１０６】
ネオン発光の選択吸収色素としては、シアニン系色素、スクアリリウム系色素、アントラキノン系色素、フタロシアニン系色素、ポリメチン系色素、ポリアゾ系色素、アズレニウム系色素、ジフェニルメタン系色素、トリフェニルメタン系色素を挙げることができる。このような選択吸収色素は、５８５ｎｍ付近のネオン発光の選択吸収性とそれ以外の可視光波長において吸収が小さいことが必要であるため、吸収極大波長が５７５〜５９５ｎｍであり、吸収スペクトル半値幅が４０ｎｍ以下であるものが好ましい。
【０１０７】
また、近赤外線やネオン発光の吸収色素を複数種組み合わせる場合、色素の溶解性に問題がある場合、混合による色素間の反応ある場合、耐熱性、耐湿性等の低下が認められる場合には、すべての近赤外線吸収色素を同一の層に含有させる必要はなく、別の層に含有させても良い。
【０１０８】
また、光学特性に大きな影響を与えない限り、さらに着色用の色素、紫外線吸収剤、酸化防止剤等を加えても良い。
【０１０９】
本発明の光学フィルタの近赤外線吸収特性としては、８５０〜１０００ｎｍの透過率を、２０％以下、さらに１５％するのが好ましい。また選択吸収性としては、５８５ｎｍの透過率が５０％以下であることが好ましい。特に前者の場合には、周辺機器のリモコン等の誤作動が指摘されている波長領域の透過度を減少させる効果があり、後者の場合は、５７５〜５９５ｎｍにピークを持つオレンジ色が色再現性を悪化させる原因であることから、このオレンジ色の波長を吸収させる効果があり、これにより真赤性を高めて色の再現性を向上させたものである。
【０１１０】
近赤外線吸収層の層厚は、０．５〜５０μｍが一般的である。
【０１１１】
アース電極として導電層を露出させ、その露出部に導電性粘着テープ貼付する場合、その導電性粘着テープとしては、金属箔の一方の面に、導電性粒子を分散させた粘着層を設けたものであって、この粘着層には、アクリル系、ゴム系、シリコン系粘着剤や、エポキシ系、フェノール系樹脂に硬化剤を配合したものを用いることができる。
【０１１２】
粘着層に分散させる導電性粒子としては、電気的に良好な導体であればよく、種々のものを使用することができる。例えば、銅、銀、ニッケル等の金属粉体、このような金属で被覆された樹脂又はセラミック粉体等を使用することができる。また、その形状についても特に制限はなく、リン片状、樹枝状、粒状、ペレット状等の任意の形状をとることができる。
【０１１３】
この導電性粒子の配合量は、粘着層を構成するポリマーに対し０．１〜１５容量％であることが好ましく、また、その平均粒径は０．１〜１００μｍであることが好ましい。このように、配合量及び粒径を規定することにより、導電性粒子の凝縮を防止して、良好な導電性を得ることができるようになる。
【０１１４】
導電性粘着テープの基材となる金属箔としては、銅、銀、ニッケル、アルミニウム、ステンレス等の箔を用いることができ、その厚さは通常の場合、１〜１００μｍである。
【０１１５】
粘着層は、この金属箔に、前記粘着剤と導電性粒子とを所定の割合で均一に混合したものをロールコーター、ダイコーター、ナイフコーター、マイカバーコーター、フローコーター、スプレーコーター等により塗工することにより容易に形成することができる。
【０１１６】
この粘着層の厚さは通常の場合５〜１００μｍである。
【０１１７】
導電性粘着テープの代わりに、上記粘着層を構成する材料からなる接着剤を導電層の露出部に塗布し、その上に上記導電性テープを貼付しても良い。
【０１１８】
本発明で使用される透明粘着剤層は、本発明の光学フィルムをディスプレイに接着するための層であり、接着機能を有するものであればどのような樹脂でも使用することができる。例えば、ブチルアクリレート等から形成されたアクリル系粘着剤、ゴム系粘着剤、ＳＥＢＳ（スチレン／エチレン／ブチレン／スチレン）及びＳＢＳ（スチレン／ブタジエン／スチレン）等の熱可塑性エラストマー（ＴＰＥ）を主成分とするＴＰＥ系粘着剤及び接着剤等も用いることができる。
【０１１９】
その層厚は、一般に５〜５００μｍ、特に１０〜１００μｍの範囲が好ましい。光学フィルタは、一般に上記粘着剤層をディスプレイのガラス板に圧着することによる装備することができる。
【０１２０】
本発明において透明フィルム２枚を使用する場合、これらの接着（粘着剤層）には、例えば、エチレン−酢酸ビニル共重合体、エチレン−アクリル酸メチル共重合体、アクリル樹脂（例、エチレン−（メタ）アクリル酸共重合体、エチレン−（メタ）アクリル酸エチル共重合体、エチレン−（メタ）アクリル酸メチル共重合体、金属イオン架橋エチレン−（メタ）アクリル酸共重合体）、部分鹸化エチレン−酢酸ビニル共重合体、カルボキシル化エチレン−酢酸ビニル共重合体、エチレン−（メタ）アクリル−無水マレイン酸共重合体、エチレン−酢酸ビニル−（メタ）アクリレート共重合体等のエチレン系共重合体を挙げることができる（なお、「（メタ）アクリル」は「アクリル又はメタクリル」を示す。）。その他、ポリビニルブチラール（ＰＶＢ）樹脂、エポキシ樹脂、フェノール樹脂、シリコン樹脂、ポリエステル樹脂、ウレタン樹脂、ゴム系粘着剤、ＳＥＢＳ及びＳＢＳ等の熱可塑性エラストマー等も用いることができるが、良好な接着性が得られやすいのはアクリル樹脂系粘着剤、エポキシ樹脂である。
【０１２１】
その層厚は、一般に１０〜５０μｍ、好ましくは、２０〜３０μｍの範囲が好ましい。光学フィルタは、一般に上記粘着剤層をディスプレイのガラス板に加熱圧着することによる装備することができる。
【０１２２】
また低屈折率層等の反射防止層上には、保護層を設けても良い。保護層は、前記ハードコート層と同様にして形成することが好ましい。
【０１２３】
透明粘着剤層上に設けられる剥離シートの材料としては、ガラス転移温度が５０℃以上の透明のポリマーが好ましく、このような材料としては、ポリエチレンテレフタレート、ポリシクロヘキシレンテレフタレート、ポリエチレンナフタレート等のポリエステル系樹脂、ナイロン４６、変性ナイロン６Ｔ、ナイロンＭＸＤ６、ポリフタルアミド等のポリアミド系樹脂、ポリフェニレンスルフィド、ポリチオエーテルサルフォン等のケトン系樹脂、ポリサルフォン、ポリエーテルサルフォン等のサルフォン系樹脂の他に、ポリエーテルニトリル、ポリアリレート、ポリエーテルイミド、ポリアミドイミド、ポリカーボネート、ポリメチルメタクリレート、トリアセチルセルロース、ポリスチレン、ポリビニルクロライド等のポリマーを主成分とする樹脂を用いることができる。これら中で、ポリカーボネート、ポリメチルメタアクリレート、ポリビニルクロライド、ポリスチレン、ポリエチレンテレフタレートが好適に用いることができる。厚さは１０〜２００μｍが好ましく、特に３０〜１００μｍが好ましい。
【０１２４】
本発明の光学フィルタが、ディスプレイの１種であるプラズマディスプレイパネルの画像表示面に貼付された状態の１例を図８に示す。ディスプレイパネル９０の表示面の表面に透明粘着剤層８７を介して光学フィルタが接着されている。即ち、光吸収層付き光学フィルタ８０の一方の表面に、メッシュ状導電層８３、ハードコート層７４、低屈折率層等の反射防止層８５がこの順で設けられ、光吸収層付き光学フィルタ８０の他方の表面には近赤外線吸収層８６及び透明粘着剤層８７が設けられたディスプレイ用光学フィルタが表示面に設けられている。そしてフィルタの縁部（側縁部）に、メッシュ状導電層８３’が露出している。この露出したメッシュ状導電層８３’にプラズマディスプレイパネル９０の周囲に設けられた金属カバー８９にシールドフィンガー（板バネ状金属部品）８８を介して接触状態にされている。シールドフィンガー（板バネ状金属部品）の代わりに、導電性ガスケット等が用いても良い。これにより、光学フィルタと金属カバー８９が導通し、アースが達成される。金属カバー８９は金属枠、フレームでも良い。図８から明らかなように、メッシュ状導電層８３は、視聴者側を向いている。金属カバー８９は、導電層８３の縁部の縁部から２〜２０ｍｍ程度覆っている。また金属カバー８９の形状を変更して、金属カバー８９をメッシュ状導電層８３’に直接接触するようにしても良い。
【０１２５】
本発明のＰＤＰ表示装置は、一般に透明基板として光吸収層付き光学フィルタを用い、これはプラスチックフィルムであるので、上記のように本発明の光学フィルタをその表面であるガラス板表面に直接貼り合わせることができるため、特に透明フィルムを１枚使用した場合は、ＰＤＰ自体の軽量化、薄型化、低コスト化に寄与できる。また、ＰＤＰの前面側に透明成形体からなる前面板を設置する場合に比べると、ＰＤＰとＰＤＰ用フィルタとの間に屈折率の低い空気層をなくすことができるため、界面反射による可視光反射率の増加、二重反射などの問題を解決でき、ＰＤＰの視認性をより向上させることができる。また、本発明の光学フィルタは、前記のように外光の遮断効果を有し、透過率が高く、画像の鮮明性及びコントラストに優れているので、これを備えたＰＤＰは、当然、従来にない、防眩性に優れ、透過率が高く、画像の鮮明性及びコントラストに優れたが画像が得られる。
【実施例】
【０１２６】
以下、実施例と比較例を示し、本発明を具体的に説明するが、本発明は以下の実施例に限定されるものではない。
【０１２７】
［実施例１］
＜ディスプレイ用光学フィルタの作製＞
表面に接着層（ポリエステルポリウレタン；厚さ２０ｎｍ）を有する厚さ１００μｍのポリエチレンテレフタレートフィルムの接着層の全面に、紫外線硬化性樹脂 （（メタ）アクリロイル基を有するフッ素系ポリマーが主成分；ＪＳＲオプスターＫＺ９４５７−６、ＪＳＲ（株）製）を、塗布し、その塗布層上に光吸収層付き山形部を有する山形基板を山形部が塗布層に接触するように載置し、圧着させた。塗布層に、光吸収層付き光学フィルタの裏側から紫外線照射し、塗布層を硬化させた。これによりディスプレイ用光学フィルタを得た。
【０１２８】
尚、上記光吸収層付き山形基板は以下のように製造した。まず山形基板を、切削加工によって反山形形状が彫刻された金型に、予熱したアクリル樹脂のシートを加熱、加圧して成形することによる作製し、得られた山形基板の山形部の表面に光吸収剤を含有したネガ型フォトレジストを塗布、乾燥した後、山形基板の裏面より紫外線を照射した。次に露光されたネガ型フォトレジストをアンモニア水で現像し、これにより、露光された長辺に相当する山形凸部の側壁の表面のネガ型フォトレジスト現像除去した。このように現像を行うことによって、短辺に相当する山形凸部の側壁の表面のネガ型フォトレジストが残り、光吸収層付き山形基板が得られた（図２参照）。
【０１２９】
上記山形基板における、山形凸部の３角形の短辺の長さは３０μｍ、長辺の長さは５０μｍ、光吸収層のピッチが７０μｍ、光吸収層の厚さが５μｍ、短辺と底辺の角度（θ）が８０度であった。以上は、透過型電子顕微鏡を用いて測定した。
【０１３０】
また、得られたディスプレイ用光学フィルタの構成も、上記山形基板の形状を維持していることを、透過型電子顕微鏡を用いて確認した。
【０１３１】
［比較例１］
実施例１のディスプレイ用光学フィルタと同じ可視光透過率（７０％）を有する着色ＰＥＴフィルム（１００μｍ）を用意した。
【０１３２】
［光学フィルタの評価］
（１）明所白輝度、明所黒輝度及びコントラスト
実施例１及び比較例１で得られた光学フィルタを、粘着剤を用いてＰＤＰの表示表面に貼り付け、ＩＥＣ６１９６６−５の規格に従い、明所白輝度及び明所黒輝度を測定し、その比のコントラストを得た。
【０１３３】
上記結果を表１に示す。
【０１３４】
【表１】
2009063962.tif 000003
【０１３５】
また、実施例１及び比較例１の結果から分かるように、本発明の光学フィルタは明所黒輝度が顕著に低く、高いコントラスト示している。
【０１３６】
［実施例２］
＜ディスプレイ用光学フィルタの作製＞
実施例１の光吸収層付き光学フィルタのポリエチレンテレフタレートフィルム（厚さ１００μｍ）の表面に、厚さ１０μｍの銅箔を付着させた。この銅箔を、フォトリソグラフィー法によりドットパターンを形成して銅箔露出部分をエッチングし、格子パターンの銅箔を形成した。
【０１３７】
このフィルム表面の導電層の線幅は３０μｍ、ピッチ１２７μｍ、開口率は５８％であった。また、導電層（銅層）の平均厚さは１０μｍであった。
【０１３８】
（１）ハードコート層の形成
下記の配合：
ペンタエリスリトールトリアクリレート
（ＮＫエステルＡ−ＴＭＭ−３Ｌ、新中村化学（株）製）      ２００質量部
ＩＴＯ（平均粒径１５０ｎｍ）                                ４０質量部
ＩＰＡ                                                    １００質量部
シクロヘキサノン                                          １００質量部
イルガキュア１８４（チバスペシャリティケミカル社製）          ６質量部
を混合して得た塗工液を、上記メッシュ状金属導電層の全面に、バーコータにより塗布し、紫外線照射により硬化させた。これにより、メッシュ状金属導電層上に厚さ１２μｍのハードコート層を形成した。
【０１３９】
（２）低屈折率層の形成
下記の配合：
オプスターＪＮ―７２１２（日本合成ゴム（株）製）          １００質量部
メチルエチルケトン                                        １１７質量部
メチルイソブチルケトン                                    １１７質量部
を混合して得た塗工液を、上記ハードコート層上にバーコータを用いて塗布し、８０℃のオーブン中で５分間乾燥させ、次いでその紫外線照射により硬化させた。これにより、ハードコート層上に厚さ９０ｎｍの低屈折率層（屈折率１．４２）を形成した。
【０１４０】
（３）近赤外線吸収層（色調補正機能を有する）の形成
下記の配合：
ポリメチルメタクリレート                                  ３０質量部
ＴＡＰ−２（山田化学工業（株）製）                          ０．４質量部
Ｐｌａｓｔ  Ｒｅｄ  ８３８０（有本化学工業（株）製          ０．１質量部
ＣＩＲ−１０８５（日本カーリット（株）製）                  １．３質量部
ＩＲ−１０Ａ（（株）日本触媒製）                            ０．６質量部
メチルエチルケトン                                      １５２質量部
メチルイソブチルケトン                                    １８質量部
を混合して得た塗工液を、上記光吸収層付き光学フィルタの裏面全面にバーコータを用いて塗布し、８０℃のオーブン中で５分間乾燥させた。これにより、ポリエチレンフィルム上に厚さ５μｍの近赤外線吸収層（色調補正機能を有する）を形成した。
【０１４１】
（４）透明粘着剤層の形成
下記の配合：
ＳＫダイン１８１１Ｌ（綜研化学（株）製）                １００質量部
硬化剤Ｌ−４５（綜研化学（株）製）                          ０．４５質量部
トルエン                                                  １５質量部
酢酸エチル                                                  ４質量部
を混合して得た塗工液を、上記近赤外線吸収層上にバーコータを用いて塗布し、８０℃のオーブン中で５分間乾燥させた。これにより、近赤外線吸収層上に厚さ２５μｍの透明粘着剤層を形成した。
【０１４２】
これによりディスプレイ用光学フィルタを得た。
【０１４３】
実施例２で得られたＰＤＰフィルタは、実際にＰＤＰに貼付して画像を映し出したところ、良好な画像が得られた。
これによりディスプレイ用光学フィルタを得た。
【図面の簡単な説明】
【０１４４】
【図１】本発明のディスプレイ用光学フィルタの製造方法の１例を示す概略断面図である。
【図２】本発明の山形基板の製造方法の１例を示す概略断面図である。
【図３】本発明のディスプレイ用光学フィルタの好適態様の１例の概略断面図である。
【図４】本発明のディスプレイ用光学フィルタの別の好適態様の１例の概略断面図である。
【図５】本発明のディスプレイ用光学フィルタの別の好適態様の１例の概略断面図である。
【図６】本発明のディスプレイ用光学フィルタの別の好適態様の１例の概略断面図である。
【図７】本発明のディスプレイ用光学フィルタの別の好適態様の１例の概略断面図である。
【図８】本発明の光学フィルタが、ディスプレイの１種であるプラズマディスプレイパネルの画像表示面に貼付された状態の１例の概略断面図である。
【符号の説明】
【０１４５】
１１ａ  透明基部
１１ｂ  透明の山形部
１１ｃ  光吸収層
１１  山形基板
１２  透明樹脂
１０、３０、４０、５０、６０、７０、  光吸収層を有する光学フィルタ
３３、４３、５３、６３、７３  導電層
３４  ハードコート層
３５、４５、５５、６５、７５  反射防止層
３６、４６、５６、６６、７６  近赤外線吸収層
３７、４７、５７、６７Ａ、６７Ｂ、７７Ａ、７７Ｂ、７７Ｃ  透明粘着剤層
４８  透明化層
５９、６９、７９Ａ、７９Ｂ  透明基板
【図１】
2009063962.tif 000004
【図２】
2009063962.tif 000005
【図３】
2009063962.tif 000006
【図４】
2009063962.tif 000007
【図５】
2009063962.tif 000008
【図６】
2009063962.tif 000009
【図７】
2009063962.tif 000010
【図８】
2009063962.tif 000011